(57)【要約】      （修正有）【課題】吸音効果を高めることができる吸音材を提供する【解決手段】吸音材１は、少なくとも１つの小孔３が設けられた小室２を複数並設してなり、各小室２の小孔３の周囲には、当該小孔３を囲んで隆起する周壁４が設けられている。各小室２は、第１の平面１１と第２の平面１３とを有しており、各小室２同士は互いに当該平面１１、１３が平行となるように並設されている。各小室２は、平行に対峙する対向壁１５、１７を有しており、当該対向壁１５、１７のうち、一方の対向壁１５に第１の平面１１が形成され、他方の対向壁１７に第２の平面１３が形成されている。他方の対向壁１７には、小孔３がそれぞれ設けられている。周壁４は、小孔３が形成されている対向壁すなわち他方の対向壁１７上に設けられている。【選択図】図５
2019128497.tif 000002
【特許請求の範囲】
【請求項１】
少なくとも１つの小孔が設けられた小室を複数並設してなる吸音材であって、
前記各小室の小孔の周囲には、当該小孔を囲んで隆起する周壁が設けられていることを特徴とする吸音材。
【請求項２】
前記各小室は、少なくとも１の平面を有しており、前記各小室同士は互いに当該平面が平行となるように並設されている請求項１記載の吸音材。
【請求項３】
前記各小室は、平行に対峙する対向壁を有しており、当該対向壁のいずれか一方に前記平面が形成され、前記対向壁のいずれか一方に少なくとも１の小孔がそれぞれ設けられている請求項２記載の吸音材。
【請求項４】
前記周壁は、前記小孔が形成されている前記対向壁上に設けられている請求項３記載の吸音材。
【請求項５】
前記各小室は、前記小孔を有する前記対向壁の輪郭外に当該対向壁と平行な輪郭壁を備えたものであり、前記小室同士が前記輪郭壁を介して連続している請求項４記載の吸音材。
【請求項６】
前記各周壁は、その隆起端にその輪郭から外方に延びる輪郭壁を備えたものであり、前記周壁同士が前記隆起端の輪郭壁を介して連続している請求項４又は５記載の吸音材。
【請求項７】
前記小室同士の高さが一定である請求項４、５又は６記載の吸音材。
【請求項８】
前記周壁同士の高さが一定である請求項４、５、６又は７記載の吸音材。
【請求項９】
プラスチック成型品である下方のキャップシート上に同一のキャップ配置を有する上方のキャップシートを積層してなるものであって、
前記各キャップシートは、それぞれ開口部と底部とを有する複数のキャップを備えたものであり、
下方のキャップシートにおけるキャップの開口部に、上方のキャップシートにおけるキャップの底部をそれぞれ重ね合わせて前記開口部を塞ぎ、その底部に下方のキャップシートのキャップにより形成される前記小室を外部に連通させるための少なくとも１つの小孔をそれぞれ設けてなる請求項８記載の吸音材。
【請求項１０】
前記下方のキャップシートにおけるキャップの底部に当該キャップ同士を連接するライナーシートを添設してなる請求項９記載の吸音材。
【発明の詳細な説明】
【技術分野】
【０００１】
本発明は、ヘルムホルツ共鳴器を備えた吸音材に関する。
【背景技術】
【０００２】
従来、この種の吸音材として、例えば、開口部と底部とを有するキャップを複数備えたキャップシートと、このキャップシートにおける前記各キャップの開口部を塞ぐ側に添設されたバックシートとを具備してなり、前記バックシートの前記各キャップに対応する部位に小孔をそれぞれ貫設してなるものが知られている（例えば、特許文献１参照）。すなわち、この吸音材は、前記各キャップにより形成される小室と、この小室を外部に連通させるべく前記バックシートに穿設された小孔とによって、ヘルムホルツ共鳴器を構成してなるものであり、これらの共鳴器によって主にバックシート側の音源から発せられる音を吸音するようになっている。
【０００３】
かかる吸音材は、騒音等のレベルを低減させるために種々の分野で広く普及しつつあり、その吸音性能をさらに高めたいという要望も日々高まりつつある。
【０００４】
本発明者らは、かかる要望に応えるべく種々の探求を進めた結果、従来の吸音材は、音が反射しやすい平面に小孔を穿設しただけのものである点に着目し、その反射拡散を抑えて音を各小孔に集約させれば前記各小孔と各小室とからなるヘルムホルツ共鳴器の性能がより高まるのではないかとの考えに至った。そして、かかる着想に基づいて種々の実験を繰り返した結果、各小室の小孔の周囲に、当該小孔を囲んで隆起する壁を設けることによって、その吸音性能を高めることができる事実を発見した。
【０００５】
そして、このような効果は、前述したようなキャップシートとバックシートとからなる吸音材のみならず、キャップシート等を多重に積層したものや、他の材料で小室と小孔とを形成したもの等にも発現し得ることを見出し、本発明を完成させるに至った。
【先行技術文献】
【特許文献】
【０００６】
【特許文献１】特開２０１５−１８７６３２号公報
【発明の概要】
【発明が解決しようとする課題】
【０００７】
本発明は、前述した究明結果に基づいてなされたものであり、吸音効果をより高めることができる吸音材を提供することを目的としている。
【課題を解決するための手段】
【０００８】
以上の課題を解決すべく、本発明に係る吸音材は、以下に述べるような構成を有する。すなわち本発明に係る吸音材は、少なくとも１つの小孔が設けられた小室を複数並設してなる吸音材であって、前記各小室の小孔の周囲には、当該小孔を囲んで隆起する周壁が設けられているものである。
【０００９】
このようなものであれば、小孔の寸法形状や周壁の形態を適切に設定することにより、吸音したい音を従来の吸音材よりも効果的に吸音することができる。
【００１０】
上述した吸音材における小室の具体的な態様の一例として、前記各小室が少なくとも１の平面を有しており、前記各小室同士は互いに当該平面が平行となるように並設されているものが挙げられる。
【００１１】
前段で述べたような小室のさらに具体的な構成として、前記各小室は、平行に対峙する対向壁を有しており、当該対向壁のいずれか一方に前記平面が形成され、前記対向壁のいずれか一方に少なくとも１の小孔がそれぞれ設けられているものが挙げられる。
【００１２】
前段で述べたような小室を有する吸音材における前記周壁の設置態様の一例として、前記小孔が形成されている前記対向壁上に設けられているものが挙げられる。
【００１３】
さらに、前記各小室の構成及び設置態様の一例として、前記小孔を有する前記対向壁の輪郭外に当該対向壁と平行な輪郭壁を備えたものであり、前記小室同士が前記輪郭壁を介して連続しているものが挙げられる。なお、前記対向壁と前記輪郭壁の高さ位置は、必ずしも同一である必要はなく、多少異なっていてもよい。
【００１４】
また、前記各周壁の構成及び設置態様の一例として、その隆起端にその輪郭から外方に延びる輪郭壁を備えたものであり、前記周壁同士が前記隆起端の輪郭壁を介して連続しているものが挙げられる。
【００１５】
加えて、吸収する周波数帯を絞り、製造効率の向上を図るための態様の一例として、前記小室同士の高さが一定であるものや、前記周壁同士の高さが一定であるものが挙げられる。
【００１６】
以上に述べたような吸音材のさらに具体的な構成の一例として、プラスチック成型品である下方のキャップシート上に同一のキャップ配置を有する上方のキャップシートを積層してなるものであって、前記各キャップシートは、それぞれ開口部と底部とを有する複数のキャップを備えたものであり、下方のキャップシートにおけるキャップの開口部に、上方のキャップシートにおけるキャップの底部をそれぞれ重ね合わせて前記開口部を塞ぎ、その底部に下方のキャップシートのキャップにより形成される前記小室を外部に連通させるための少なくとも１つの小孔をそれぞれ設けてなるものや、さらに、前記下方のキャップシートにおけるキャップの底部に当該キャップ同士を連接するライナーシートを添設してなるものが挙げられる。
【発明の効果】
【００１７】
本発明によれば、吸音効果を従来のものに比べてより高めることが可能な吸音材を提供することができる。
【図面の簡単な説明】
【００１８】
【図１】本発明の第一の実施形態に係る吸音材を一部破断して示す斜視図。
【図２】同実施形態に係る吸音材の分解斜視図。
【図３】同実施形態に係る吸音材の正面図。
【図４】同実施形態に係る吸音材の底面図。
【図５】図３におけるＡ−Ａ線に沿った断面図。
【図６】図５におけるＢ部の拡大図。
【図７】同実施形態に係る一実施例及び比較例を示す拡大断面図。
【図８】同実施形態に係る一実施例及び比較例の吸音率の試験結果を示す図。
【図９】本発明の第二の実施形態に係る吸音材を示す拡大断面図。
【図１０】図９におけるＣ部の拡大図。
【発明を実施するための形態】
【００１９】
本発明の第一の実施形態を、図１〜図８を参照して説明する。
【００２０】
この実施形態は、本発明をプラスチック成形品である中空ボード製の吸音材１に適用した場合のものである。
【００２１】
ここで、図１は、本実施形態の吸音材１を一部破断して示す斜視図である。図２は、同吸音材１の分解斜視図である。図３は、同吸音材１の正面図であり、図４は、同底面図である。図５は、図３におけるＡ−Ａ線に沿った断面図であり、図６は、図５におけるＢ部を拡大して示す拡大断面図である。図７の（ａ）は、同実施形態に係る一実施例を示す図５相当の拡大断面図であり、同図の（ｂ）は、前記一実施例に対する比較例を示す拡大断面図である。図８は、前記一実施例及び前記比較例の吸音率の試験結果を示す図である。
【００２２】
この実施形態の吸音材１は、少なくとも１つ、この実施形態では単一の小孔３が設けられた小室２を複数並設してなり、前記各小室２の小孔３の周囲には、当該小孔３を囲んで隆起する周壁４が設けられている。
【００２３】
前記各小室２は、少なくとも１の平面、この実施形態では第１の平面１１と第２の平面１３とを有しており、前記各小室２同士は互いに当該平面１１、１３が平行となるように並設されている。
【００２４】
前記各小室２は、平行に対峙する対向壁１５、１７を有しており、当該対向壁１５、１７のうち、一方の対向壁１５に前記第１の平面１１が形成され、他方の対向壁１７に第２の平面１３が形成されている。前記他方の対向壁１７には、前記小孔３がそれぞれ設けられている。前記周壁４は、前記小孔３が形成されている前記対向壁すなわち前記他方の対向壁１７上に設けられている。
【００２５】
前記各小室２は、前記小孔３を有する前記他方の対向壁１７の輪郭外に当該対向壁１７と平行な輪郭壁１９を備えたものであり、前記小室２同士が前記輪郭壁１９を介して連続している。
【００２６】
前記各周壁４は、その隆起端４ａにその輪郭から外方に延びる輪郭壁２１を備えたものであり、前記周壁４同士が前記隆起端の輪郭壁２１を介して連続している。
【００２７】
ここで、前記小室２同士の高さ及び前記周壁４同士の高さはそれぞれ一定である。
【００２８】
詳述すれば、この吸音材１は、プラスチック成型品である下方のキャップシート３１上に同一のキャップ配置を有する上方のキャップシート３３を積層してなるものである。前記各キャップシート３１、３３は、それぞれ開口部３５ａ、３７ａと底部３５ｂ、３７ｂとを有する複数のキャップ３５、３７を備えたものであり、下方のキャップシート３１におけるキャップ３５の開口部３５ａに、上方のキャップシート３３におけるキャップ３７の底部３７ｂをそれぞれ重ね合わせて前記開口部３５ａを塞ぎ、その底部３７ｂに下方のキャップシート３１のキャップ３５により形成される前記小室２を外部に連通させるための小孔３をそれぞれ設けてなる。また、前記下方のキャップシート３１におけるキャップ３５の底部３５ｂには、当該キャップ同士を連接するライナーシート３９が添設されている。
【００２９】
具体的に説明すれば、一般に、多数の気泡を有するキャップシートの一面にバックシートを添接するとともに他面にライナーシートを添接してなる図示しないプラスチック中空ボードが広く普及しているが、前記下方のキャップシート３１は、前記中空ボードのキャップシートと同じ手法で作られるものである。そして、このキャップシート３１にライナーシート３９を添接して中間ボード体４１を形成する手法も、前記中空ボードの製法に準じたものである。上方のキャップシート３３も、前記中空ボードのキャップシートと同じ手法で作られるものである。しかして、下方のキャップシート３１は、前記開口部３５ａと前記底部３５ｂとを有する複数のキャップ３５を縦方向及び横方向に所定のピッチで配列させたものであり、各キャップ３５の開口部３５ａ同士は前記輪郭壁１９を介して連続している。前記輪郭壁１９は、前記ライナーシート３９と平行をなしている。このような下方のキャップシート３１におけるキャップ３５の開口部３５ａに、上方のキャップシート３３におけるキャップ３７の底部３７ｂをそれぞれ嵌合させ、溶着その他の接着手段により、両キャップシート３１、３３を接合している。なお、前記両キャップシート３１、３３を接合することにより形成される前記小室２は、前記小孔３以外の箇所が完全に密閉されたものでもよく、また、多少の通気性を有するものであってもよい。
【００３０】
しかして、この結合状態において、下方のキャップシート３１の各キャップ３５とこのキャップ３５に嵌着された上方のキャップシート３３における各キャップ３７の底部３７ｂとによって前記小室２が形成されており、下方のキャップシート３１の底部３１ｂを構成する底壁が前記一方の対向壁１５に相当し、上方のキャップシート３３の底部３３ｂを構成する底壁が前記他方の対向壁１７に相当する。従って、前記他方の対向壁１７に当該小室２を外部に連通させるための小孔３が穿設されている。そして、この小孔３を囲んで隆起する前記周壁４は、上方のキャップシート３３のキャップ３７の底部３７ｂ以外の部分によって構成されている。また、上方のキャップシート３３も、前記開口部３７ａと前記底部３７ｂとを有する複数のキャップ３７を縦方向及び横方向に所定のピッチで配列させたものであり、各キャップ３５、３７の開口部３５ａ、３７ａ同士は前記輪郭壁２１を介して連続している。この輪郭壁２１も、前記下方のキャップシート３１の輪郭壁１９と同様に、前記ライナーシート３９と平行をなしている。
【００３１】
以上の説明において、「上方」「下方」とは、それぞれ図１、図２及び図４における上方、下方であり、また、図５〜図７においては、図中左側が「上方」、図中右側が「下方」に相当する。この「上方」「下方」は、説明の便宜上用いたものであり、必ずしも吸音材１を使用する際の姿勢を示しているものではない。
【００３２】
次いで、以上説明した実施形態に含まれる一実施例（以下、実施例１と称する）の吸音材１の吸音性能について、比較例（以下、比較例１と称する）と比較しつつ説明する。
【００３３】
前記実施例１にかかる吸音材１は、全体の直径が１００ｍｍの円板状のものであり、この試験円板に含まれる小室２の数、すなわち小孔３と協働してヘルムホルツ共鳴器を構成している小室２の数は２６個、前記小室２の内径ｒ１１は１１．６ｍｍ、前記小室２の奥行（高さ）ｈ１１は８ｍｍ、各小室２の容積Ｖ１１は８４５ｍｍ3、各小孔３の内径ｒ１２は１．５ｍｍ、各小孔３の奥行（長さ）ｄ１１は、０．５ｍｍである。具体的には、前記試験円板の厚みｔ１１は１６．５ｍｍであり、周壁４の高さｈ１２は８ｍｍに設定されている。
【００３４】
前記比較例１にかかる吸音材は、前記実施例１と同様に、全体の直径が１００ｍｍの円板状のものであり、この試験円板に含まれる小室２の数、前記小室２の内径ｒ１３、前記小室２の奥行（高さ）ｈ１３、各小室２の容積Ｖ１２、各小孔３の内径ｒ１４及び各小孔３の奥行（長さ）ｄ１２は、それぞれ前記実施例１における小室２の数、前記小室２の内径ｒ１１、前記小室２の奥行（高さ）ｈ１１、各小室２の容積Ｖ１１、各小孔３の内径ｒ１２及び各小孔３の奥行（長さ）ｄ１１と同様である。また、この試験円板の厚みｔ１２は、９ｍｍである。
【００３５】
以上説明した実施例１の吸音材１及び比較例１の吸音材１を所定の吸音管にそれぞれセットしてその吸音性能をＪＩＳ  Ａ  １４０５−２に基づいて試験した結果、図８に示すような吸音率のデータが得られた。この図８においては、前記実施例１の測定結果を実線ａで示し、前記比較例１の測定結果を破線ｂで示している。しかして、この音響管による吸音率等の測定によれば、周波数が１００〜１０００Ｈｚの第一領域Ａ１１では前記実施例１と前記比較例１との吸音率に大差は生じなかったが、１０００〜１５００Ｈｚの第二領域Ａ１２では前記実施例１の吸音率が前記比較例１の吸音率と比較して顕著に高い値を示すことがわかった。
【００３６】
吸音に関わる周波数領域は、小室２の容積や小孔３の寸法形状により予め設定することが可能であるため、吸音したい音の周波数を前記第二領域Ａ１２に合致させるべく小孔３及び小室２の寸法形状を設計することにより、種々の周波数の音を効果的に吸音させることが可能であるということが以上の試験から明確になった。
【００３７】
以上説明したように、本実施形態の吸音材１によれば、小孔３の寸法形状や周壁４の形態を適切に設定することにより、吸音したい音を従来の吸音材１よりも効果的に吸音することができる。
【００３８】
また、各小室２は平面１１、１３を有しており、それらが音源に対して平行に並び、前記小孔３が当該平面１３上に設けられていることにより、前記小孔３の周囲に前記周壁４を設けやすくなる。
【００３９】
さらに、各小室２、各周壁４がそれぞれ前記輪郭壁１９、２１を介して連続しているので、このような吸音材１の製造効率の向上を図ることができる。
【００４０】
加えて、各小室２、各周壁４の高さｈ１１、ｈ１２が一定であると、吸収する周波数領域が限られるものの、このような吸音材１の製造効率のさらなる向上を図ることができる。特に、この実施形態にように、従来のプラスチック中空ボードに用いられているキャップシートに準じたキャップシート３１、３３を用いて吸音材１を構成すれば、従来の中空ボードを製造する設備を有効に利用して性能のよい吸音材１を製造することができる。
【００４１】
なお、以上説明した第一の実施形態では、下方のキャップシート３１の底部にライナーシート３９を添接したものであるが、このライナーシート３９を省略してもよい。
【００４２】
また、キャップシートの組み合わせについても、前記第一の実施形態のものに限らず、例えば、図９及び図１０に示す第二の実施形態の吸音材１０のような構成を採用してもよい。なお、前述した第一の実施形態におけるものに対応する各部位には、それぞれ同一の名称及び符号を付している。
【００４３】
ここで、図９は、本実施形態の吸音材１０における前記図５に対応した断面図であり、図１０は、前記図６に対応する拡大断面図である。
【００４４】
この吸音材１０は、図９及び図１０に示すように、キャップシート３１の底部にライナーシート３９を添接してなる前述した中間ボード体４１を２枚使用するとともに、一方の中間ボード体４１のライナーシート３９に周壁４を形成するためのキャップシート３３を添接したものである。２枚の中間ボード体４１は、キャップ３５の開口部３５ａ同士が合致する姿勢で相互に接合されており、合致する一対のキャップ３５内に小室２がそれぞれ形成されている。そして、前記一方の中間ボード体４１のキャップ３５の底部３５ｂ、同中間ボード体４１のライナーシート３９、及び前記周壁４を形成するためのキャップシート３３のキャップ３７の底部３７ｂを貫通させて、前記小室２に連通する小孔３が穿設されている。
【００４５】
以上説明した第二の実施形態の吸音材１０は、前記第一の実施形態の吸音材１におけるものの略２倍の容積を有した小室２を備えており、この小室２を外部に連通させる小孔３の奥行き（長さ）は、第一の実施形態の吸音材１における小孔２よりも長くなっている。
【００４６】
この第二の実施形態に含まれる一実施例（以下、実施例２と称する）の吸音材の吸音性能について、比較例（以下、比較例２と称する）と比較しつつ説明する。
【００４７】
前記実施例２にかかる吸音材１０は、全体の直径が１００ｍｍの円板状のものであり、この試験円板に含まれる小室２の数、すなわち小孔３と協働してヘルムホルツ共鳴器を構成している小室２の数は２６個、前記小室２の内径は１１．６ｍｍ、前記小室２の奥行（高さ）は１６ｍｍ、各小室２の容積は１６９０ｍｍ3、各小孔３の内径は１．５ｍｍ、各小孔３の奥行（長さ）は、１．５ｍｍである。具体的には、前記試験円板の厚みは２４．２５ｍｍであり、周壁の高さは８ｍｍに設定されている。
【００４８】
前記比較例２にかかる吸音材は、前記実施例２と同様に、全体の直径が１００ｍｍの円板状のものであり、この試験円板に含まれる小室の数、前記小室２の内径、前記小室２の奥行（高さ）、各小室２の容積及び各小孔３の内径は前記実施例２における小室２の数、前記小室２の内径、前記小室２の奥行（高さ）、各小室２の容積、各小孔３の内径及び各小孔３の奥行（長さ）と略同様である。各小孔の奥行（長さ）は１．０ｍｍである。また、この試験円板の厚みは、１７ｍｍである。
【００４９】
吸音に関わる周波数領域は、小室の容積や小孔の寸法形状により予め設定することが可能であるため、吸音したい音の周波数を、吸音率が前記比較例２の吸音率と比較して顕著に高い値を示す領域に合致させるべく小孔及び小室の寸法形状を設計することにより、種々の周波数の音を効果的に吸音させることが可能であるということが以上の試験から明確になった。
【００５０】
なお、本発明は以上に述べた実施形態に限らない。
【００５１】
例えば、各小室にそれぞれ単一の小孔を設けた上述した実施形態の態様以外に、各小室にそれぞれ複数の小孔を設ける態様や、一部の小室に単一の小孔を設け、他の小室に複数の小孔を設ける態様や、小室の両対向壁のそれぞれに小孔を設ける態様を採用してもよい。さらに、形状寸法が異なる小孔を備えたヘルムホルツ共鳴器を混在配置させてもよい。一方、前記実施形態では、すべての小室の容積が同一である場合について説明したが、相互の容積の異なる小室を混在配置してもよい。このようにすれば、吸音効果を高めることができる周波数領域を拡大することができる。吸音効果を高めることができる周波数領域を拡大するための他の態様として、上下のキャップシートのキャップの直径を異ならせるものも挙げられる。
【００５２】
また、各小室の形状及び配置は任意である。すなわち、各小室が第１及び第２の平面を有しており、前記各小室同士が互いにこれら第１及び第２の平面がそれぞれ平行となるように並設されており、前記第２の平面を形成する対向壁に前記小孔がそれぞれ設けられている上述した実施形態の態様以外のものを採用してもよい。例えば、各小室の形状は、球状、回転楕円体状、立方体状、直方体状、円錐状、角錐状等、種々のものが考えられる。
【００５３】
加えて、各小室が小孔を有する対向壁の輪郭外に当該対向壁と平行な輪郭壁を備え、前記小室がすべて前記輪郭壁を介して連続しているとともに、各周壁がその隆起端にその輪郭から外方に延びる輪郭壁を備え、前記周壁がすべて前記隆起端の輪郭壁を介して連続している上述した実施形態の態様以外に、前記小室と小孔とからなるヘルムホルツ共鳴器をすべて又は一部独立させて設けてもよい。しかしながら前記実施形態のように構成すれば、すべてのヘルムホルツ共鳴器を一体的に取り扱うことができるため、製造効率の向上を図ることができる。
【００５４】
さらに、前記小室同士の高さ及び前記周壁同士の高さがそれぞれ一定である上述した実施形態の態様に限らず、各小室の高さ、及び各周壁の高さをそれぞれ異ならせる態様を採用してもよい。しかしながら、前記実施形態のように構成すれば、吸収する周波数帯を絞ることができるとともに、製造効率の向上を図ることができる。
【００５５】
そして、上述した実施形態では、複数のキャップシートを重ね合わせ、最も上部に位置するキャップシートに小孔を形成するとともにこのキャップシートのキャップを利用して周壁を形成しているが、その他の方法により周壁を形成してもよい。例えば、キャップシートとバックシートとを備える従来の中空ボードのバックシートを利用し、キャップシートのキャップを利用して小室を形成するとともにバックシートに前記小室に連通する小孔を形成し、前記小孔の周囲に別体をなす筒状の周壁構成材を貼付する態様等を採用してもよい。さらに、キャップシート、バックシート及びライナーシートを備える従来の中空ボードを利用し、キャップシートのキャップを利用して小室を形成するとともにバックシート及びライナーシートを貫通し前記小室に連通する小孔を形成し、この小孔の周囲に別体をなす筒状の周壁構成材を貼付する態様等を採用してもよい。
【００５６】
上述した以外に、前記第二の実施形態において、上方にキャップが開口した中間ボード体のキャップの開口部にもう１枚のキャップシートの開口部を衝き合わせ、さらにこのキャップシートの底部に上方にキャップが開口した中間ボード体を重ね合わせる態様を採用してもよく、２枚のライナーシートの一方又は双方を省略する態様を採用してもよい。加えて、上方のキャップシートに代えて３つ目の中間ボード体を用いて吸音材を形成する態様も考えられる。この場合、上方に位置する中間ボード体におけるキャップの底部の下方には、ライナーシートが２枚重なった状態で存在する。
【００５７】
その他、各部の具体的構成は、本発明の趣旨を逸脱しない範囲で種々変形が可能である。
【符号の説明】
【００５８】
１、１０…吸音材
２…小室
３…小孔
４…周壁
１１、１３…（第１、第２の）平面
１５、１７…（一方、他方の）対向壁
１９、２１…輪郭壁
３１…下方のキャップシート
３３…上方のキャップシート
３５、３７…キャップ
３５ａ、３７ａ…キャップの開口部
３５ｂ、３７ｂ…キャップの底部
３９…ライナーシート
【図１】
2019128497.tif 000003
【図２】
2019128497.tif 000004
【図３】
2019128497.tif 000005
【図４】
2019128497.tif 000006
【図５】
2019128497.tif 000007
【図６】
2019128497.tif 000008
【図７】
2019128497.tif 000009
【図８】
2019128497.tif 000010
【図９】
2019128497.tif 000011
【図１０】
2019128497.tif 000012